(57)【要約】【課題】盛土の法面の保護、中間山地の斜面崩落部補修を土嚢の積み上げで行なう工法に使用する土嚢袋を提供する。【解決手段】上下方向に長い長方形シートの下端側を正面側に折り返し、折り返したシートの下端部を上に凸の山形に折って正面側、背面側両シート間に押し込み、シート下端部にシート４枚が折り重なる部分を設ける。該状態にてシート左右重なり部を縫合して正面側上端部に開口を有する袋状とする。背面側シートの上下長さは正面側上端部より正面側シートの上下寸法の１〜３倍の長さ上方に突出する長さとする。袋状部分より上方に突出する背面側シートは、袋状部上縁高さ部分に左右から切込みを設け、切込みより上方の左右部分を背面側シートのシート横幅中央に向けて折り重ね、重なり縁部を縫合する。【選択図】図１
2020076246.tif 000002
【特許請求の範囲】
【請求項１】
盛土の法面部に設置する盛土補強用土嚢に用いる土嚢袋であって、
該土嚢袋は上下方向に長い長方形シートの下端側をシート正面側に折り返し、折り返したシートの下端部を上に凸の山形に折って正面側、背面側両シート間に押し込むことによりシート下端部にシート４枚が折り重なった部分を設け、該状態にてシート左右端の重なり部を縫合して正面側上端部に開口を有する袋状とし、背面側シートは正面側上端部より正面側シートの上下寸法の１〜３倍の長さ上方に突出した状態になるように折り畳み前長方形シートの上下寸法が調整してあることを特徴とする盛土補強用土嚢の土嚢袋。
【請求項２】
請求項１に記載の土嚢袋において、前記袋状部分を袋状内表面が外表面となるように折り返し、前記正面側、背面側両シート間に山形に折って押し込んであった部分を平面状に押し広げて袋状部の袋底面としたことを特徴とする盛土補強用土嚢の土嚢袋。
【請求項３】
請求項１又は２に記載の土嚢袋において、前記袋状部分の背面部分の背面側シート部と、袋状部より上方に突出する部分の背面側シート部との境界部には、左右端からシート横幅中央に向けて、前記正面側、背面側両シート間に山形に折って押し込んであった部分の山形の高さに等しい長さの切込みが設けてあることを特徴とする盛土補強用土嚢の土嚢袋。
【請求項４】
請求項３に記載の土嚢袋において、前記袋状部分より上方に突出する背面側シートにおける前記左右の切込みの上方部分を、背面側シートのシート横幅中央に向けて折り重ね、重ねた縁部は縫合してあることを特徴とする盛土補強用土嚢の土嚢袋。
【請求項５】
請求項１乃至４の何れかに記載の盛土補強用土嚢の土嚢袋において、該土嚢袋はバサルト繊維の糸を使用して織り上げたシートで形成されていることを特徴とする盛土補強用土嚢の土嚢袋。
【発明の詳細な説明】
【技術分野】
【０００１】
本発明は河川の堤防、住宅地開発、道路整備などで平坦な地表が必要なときに土砂を盛り上げて周囲より高い盛土を構築する際、盛土補強のため盛土法面部に設置する盛土補強用土嚢の土嚢袋に関する。
【背景技術】
【０００２】
河川の堤防、住宅地開発、道路整備、鉄道建設などでは平坦な地表が必要になる場合がある。こうした際には土砂を盛り上げて周囲より高くした盛土が形成される。また、崩壊した斜面の修復では盛土により法面が形成される。盛土の側面である法面は風化や浸食を受けやすく、また軟弱地盤では盛土全体がめり込むことがあるため法面保護や盛土の補強を必要とする。法面勾配が急な場合は面状補強材を全面に敷設すると共にコンクリートブロック、土嚢などの壁面材を設置して急勾配法面を安定させる補強土壁工法と呼ばれる工法が採用される。
【０００３】
これに対し、法面勾配が比較的緩い場合は、補強盛土工法と呼ばれる工法が採用される。この補強盛土工法にも各種方法が存在する。多くの場合、盛土内にジオテキスタイルを敷設し、そのジオテキスタイルの引っ張り抵抗や土と補強材の摩擦力、かみあわせ、及び盛土の圧密促進によって土の強度を高め、盛土全体を安定させる方法が採用される。例えば特許文献１には、盛土中に複数のジオテキスタイルを上下数段に敷設し、ジオテキスタイルそれぞれの一方の端部側に配置した土壁材をそのジオテキスタイルで巻き込んで補強土壁を設ける補強盛土工法が紹介されている。この文献では土壁材として、粘性土に保形剤を混合して混合初期時の整形を容易にした安定処理土を採用している。
【０００４】
しかし、この方法ではジオテキスタイルそれぞれの一方の端部側に配置した土壁材を、そのジオテキスタイルで巻き込んで補強土壁を設ける作業を必要とする。その作業は非常に手のかかる面倒な現場作業であり問題がある。
【先行技術文献】
【特許文献】
【０００５】
【特許文献１】特開平９−２７９５８０号公報
【発明の概要】
【発明が解決しようとする課題】
【０００６】
本発明は、従来技術のこうした問題点を解決するためになされたもので、その課題は盛土の法面の保護、中間山地の斜面崩落部補修を土嚢の積み上げで行なう工法に使用する土嚢用の土嚢袋を提供することにある。
【課題を解決するための手段】
【０００７】
前記課題を解決するための請求項１に記載の発明は、盛土の法面部に設置する盛土補強用土嚢に用いる土嚢袋であって、該土嚢袋は上下方向に長い長方形シートの下端側をシート正面側に折り返し、折り返したシートの下端部を上に凸の山形に折って正面側、背面側両シート間に押し込むことによりシート下端部にシート４枚が折り重なった部分を設け、該状態にてシート左右端の重なり部を縫合して正面側上端部に開口を有する袋状とし、背面側シートは正面側上端部より正面側シートの上下寸法の１〜３倍の長さ上方に突出した状態になるように折り畳み前長方形シートの上下寸法が調整してあることを特徴とする盛土補強用土嚢の土嚢袋である。
【０００８】
このような構成の土嚢袋を盛土の補強に使用する際には、土を詰めた土嚢袋１を盛土構築地面１０の上に土嚢袋１の底面が法面側になるようにして横たえて置き、袋状部２の背面側から突出している背面側シート突出部１ａを盛土の内部方向に水平に拡げた状態で設置する。次に背面側シート突出部１ａの上、及び該突出部１ａが及ばない地面１０の上に土を袋状部２の厚みにほぼ等しい高さに盛る。次に、それらの上に土を詰めた２個目の土嚢袋１を横たえて置く。２個目の土嚢袋１の底面は、完成させる法面の角度を考慮して最初の土嚢袋１の底面から少しずらした位置とする。２個目の土嚢袋１の背面側シート突出部１ａは１段目と同様に盛土の内部方向に水平に拡げた状態で置き、１段目と同様に背面側シート突出部１ａの上、及び該突出部１ａが及ばない１段目盛土の上に土を盛る。この作業を繰り返すことにより土嚢袋１を複数段積み上げた盛土法面を構築できる。このようにして構築した盛土では、法面を構成する土嚢に法面外方に向かう土圧が働いたとしても、背面側シート突出部１ａが盛土内部に伸びていて上下の土に挟まれているため引き抜きに対して強い抵抗力を働かせる。このため土圧に強い盛土法面を構築することができる。また、このような土嚢を用いた構築法は、ジオテキスタイルの面状補強材を全面に敷設する工法に比べて、土壁構築作業が容易である利点がある。
【０００９】
請求項２に記載の発明は、請求項１に記載の土嚢袋において、前記袋状部分を袋状内表面が外表面となるように折り返し、前記正面側、背面側両シート間に山形に折って押し込んであった部分を平面状に押し広げて袋状部の袋底面としたことを特徴とする盛土補強用土嚢の土嚢袋である。
【００１０】
このような構成の土嚢袋は見栄えがよく、且つ、請求項１に記載の土嚢袋と同様の効果を奏する。
【００１１】
請求項３に記載の発明は、請求項１又は２に記載の土嚢袋において、前記袋状部分の背面部分の背面側シート部と、袋状部より上方に突出する部分の背面側シート部との境界部には、左右端からシート横幅中央に向けて、前記正面側、背面側両シート間に山形に折って押し込んであった部分の山形の高さに等しい長さの切込みが設けてあることを特徴とする盛土補強用土嚢の土嚢袋である。
【００１２】
このような構成にしておけば、土を入れて膨らんだ状態の土嚢袋を水平に寝かせて置いた場合には、土嚢袋背面側で突出する部分の背面側シート全体が地面に水平に接触する。
【００１３】
請求項４に記載の発明は、請求項３に記載の土嚢袋において、前記袋状部分より上方に突出する背面側シートにおける前記左右の切込みの上方部分を、背面側シートのシート横幅中央に向けて折り重ね、重ねた縁部は縫合してあることを特徴とする盛土補強用土嚢の土嚢袋である。
【００１４】
このような構成の土嚢袋は、請求項１に記載の土嚢袋と同様の効果を奏する。
【００１５】
請求項５に記載の発明は、請求項１乃至４の何れかに記載の盛土補強用土嚢の土嚢袋において、該土嚢袋はバサルト繊維の糸を使用して織り上げたシートで形成されていることを特徴とする盛土補強用土嚢の土嚢袋である。
【００１６】
バサルト繊維は火山岩の一種である玄武岩１００％の自然素材であるため耐候性が高く、劣化が非常に少なく、軽量、不燃で張力・伸縮性に富み、加えて耐水・耐酸・耐アルカリにも優れている。このため土と接触する土嚢袋の素材としては最適な材料である。
【図面の簡単な説明】
【００１７】
【図１】土嚢袋１の外観斜視図である。
【図２】土嚢袋１の材料である長方形シート４である。
【図３】長方形シート４を折り畳んだ状態の右側面図である。
【図４】袋状部２の左右縫製線外側が土嚢袋の外面に表れた状態の土嚢袋１である。
【図５】図４の状態の土嚢袋１の袋状部２を裏返した土嚢袋１である。
【図６】図５における破線９部を平坦にし、破線７、破線８で囲まれた部分を平面状態にして袋底面とした土嚢袋１の正面図である。
【図７】図６の状態の土嚢袋１の右側面図である。
【図８】かくれ線も表示した土嚢袋１の斜視図である。
【図９】土嚢袋１を補強用に使用する盛土構築法の説明図である。
【図１０】土嚢袋１の背面上部左右の折り畳みを無くした土嚢袋２０である。
【図１１】土嚢袋２０を複数個水平に並べて設置した状態の平面図である。
【発明を実施するための最良の形態】
【００１８】
以下、本発明に係る盛土補強用土嚢の土嚢袋１の実施形態について図面を参照して説明する。図１はその土嚢袋１の外観斜視図である。土嚢袋１は、土砂を入れる袋状部２と、袋状部２の背面側にあって上方に突出した部分を有する背面側シート３とから構成される。背面側シート３が袋状部２の背面側から上方に大きく突出している点に大きな特徴がある。使用に際しては、後述するように袋状部２と背面側シート３を水平に寝かせた状態で設置する。以下、この土嚢袋１の製作方法を説明する過程でその構造を明らかにする。
【００１９】
土嚢袋１は長方形シートの折り畳みと縫合により製作される。図２は、その長方形シート４の形状である。図２は図１より縮尺を１／２にして描いてある。図の上下方向寸法は横幅より大きくされている。図２の上方部分が図１に示した土嚢袋１の背面部分を構成し、下方部分が土嚢袋１の袋状部２を構成することになる。図中の実線は切断線を、点線は折り畳み線を示す。
【００２０】
長方形シート４における破線７と破線８で囲まれた長方形のシート部分は、図１に示す土嚢袋１の袋状部２の底面を構成する部分である。最初に破線９を折り目にして長方形シート４の下部をシート背面側に折り返し、破線９が谷折りの頂点となるようにする。次に折り畳んだ部分を破線７を折り目にして長方形シート４の正面側に折り返す。破線７は山折りの頂点となる。続いて、長方形シート４の下方部を破線８を折り目にして長方形シート４の正面側に折り返す。破線７は山折りの頂点となる。破線７と破線９、破線８と破線９の間隔は同じにしてある。この状態を右側面から見ると図３の下半分のようになる。図３の縮尺は図１と同じにしてある。請求項１に上下方向に長い長方形シート１の下端側を正面側に折り返し、折り返したシートの下端部を上に凸の山形に折って正面側、背面側両シート間に押し込むと記載したのはこの状態を意味している。
【００２１】
図２の上部にある切断線１０ａ、１０ｂの幅は破線７と破線８の間隔の１／２に等しくしてある。この切断線１０ａ、１０ｂを利用し、その上部の長方形シート１の左右辺に平行な破線１１ａと破線１１ｂを折り目としてそれら細長い部分を長方形シート１の背面側の横幅中央に向けて折りたたむ。折り畳んだ状態の右側面図が図３の上部である。
【００２２】
図４中の実線とかくれ線（粗い破線）による図は、長方形シート１の下部、上部の折り畳みを終えた状態を正面側から見た図を表す。折り畳みの次には、重なり部の辺部の少し内側を縫製で縫い合わせる。図中の細かい破線は縫製線を表している。上下中央部の水平辺部は袋状部２の開口となる部分であるので縫製しない。縫製を終えると下部に袋状部２が形成され、その背面側からは袋状部２の背面側シートが上方に向けて突出した形状となる。袋状部２には土砂を収納できるので、この状態でも土嚢袋として使用可能である。
【００２３】
図４の状態の土嚢袋では、袋状部２の左右縫製線の外側縁部が土嚢袋の外面に表れているため見栄えのよいものではない。この部分を袋状部２の内側に移して隠すため、袋状部２を裏返して内表面であった部分を外面に出す。図５は裏返した形状を袋状部２の正面側から見た図である。この図の状態では袋状部２の手前側シートと背面側シートとは接触している。図２に示した破線７、破線８、破線９に沿った折り畳みは、図５の状態では図４の状態と反対になっており、袋状部２の下部左右には斜め状部が表れ、図５のかくれ線９より下方部分は側面から見ると上に凸の二股状に折り重なっている。
【００２４】
図５の状態からかくれ線９部を押し下げる。即ち、図２における破線９部を平坦にし、破線７、破線８で囲まれた部分を平面状態にする。平面状態にした正面図が図６、右側面図が図７である。その状態の斜視図が図８である。図８線のかくれ線を非表示にしたのが図１である。これらの図では袋状部２の開口が四角形になっているが、これは理論的に厳密に描いた図だからである。土嚢袋１は柔軟性を有するシートで形成されている。従って実際の土嚢袋１では、袋状部２開口の四角形角部は丸みを帯び、底面と側面との角部も丸みを帯びた形状になる。
【００２５】
なお、これまでの図では、袋状部２の背面側から上方に突出している部分の長さは、袋状部２の深さの１．２倍程度で描いてあるが、この突出部の長さは袋状部２の深さの１〜３倍、あるいはそれ以上の非常に長い寸法にする。
【００２６】
また、土嚢袋１の袋材料としては、バサルト繊維の糸で織り上げたシートを使用する。バサルト繊維は火山岩の一種である玄武岩１００％の自然素材である。耐候性が高く、劣化が非常に少なく、軽量、不燃で張力・伸縮性に富み、加えて耐水・耐酸・耐アルカリにも優れている。こうした土と接触する土嚢袋の素材としては最適な材料である。繊維を織り上げたシートは透水性があるため、土嚢袋の中に水が溜まることはない。
【００２７】
次に、このような構成の土嚢袋１を盛土の補強用に使用する盛土構築方法について説明する。図９はその構築手順の説明図である。最初に、図９の（１）のように土を詰めた土嚢袋１を盛土構築地面１０の上に、土嚢袋１の底面が法面側になるようにして横たえて置く。袋状部２の背面側から突出していた背面側シート突出部１ａは、盛土の内部方向に水平に拡げた状態にする。次に、図９の（２）のように背面側シート突出部１ａの上、及び該突出部１ａが及ばない地面１０の上に土を盛る。盛る土の厚みは袋状部２の厚みにほぼ一致させる。必要なら上方から圧力を加えて盛った土を固めておく。
【００２８】
次に、図９の（３）のように、それらの上に土を詰めた２個目の土嚢袋１を横たえて置く。２個目の土嚢袋１の底面は、完成させる法面の角度を考慮して最初の土嚢袋１の底面から少しずらした位置とする。２個目の土嚢袋１の背面側シート突出部１ａは１段目と同様に盛土の内部方向に水平に拡げた状態で置く。そして、１段目と同様に背面側シート突出部１ａの上、及び該突出部１ａが及ばない１段目盛土の上に土を盛る。これにより図９の（４）に示すように高さが土嚢袋２個分の厚さに等しい盛土ができる。同様の手順で、図９の（５）、（６）に示すように３段目を完成させ。以下、この作業の繰り返しにより必要な高さの盛土を構築する。
【００２９】
このようにして構築した盛土では、法面を構成する土嚢に法面外方に向かう土圧が働いたとしても、土嚢袋１の背面側シート突出部１ａが土嚢の移動を阻止するように働く。即ち、背面側シート突出部１ａは盛土内部に伸びていて上下の土に挟まれているため、引き抜きに対して強く抵抗する。結果として盛土の変形、崩壊は阻止される。また、このような土嚢を用いた構築法は、ジオテキスタイルの面状補強材を全面に敷設する工法に比べて土壁構築作業が容易である利点を持つ。
【００３０】
（他の実施形態）
前記実施形態では図２に示したように、上部の長方形シート１の左右辺に平行な破線１１ａと破線１１ｂを折り目としてそれら細長い部分を長方形シート１の背面側の横幅中央に向けて折り畳んだ。そして重なり縁部を縫合したが、この折り畳みを無くした構成としてもよい。この場合、土嚢袋は図１０に示すような外観になる。図１１は、このような土嚢袋２０を複数個水平に並べて設置した状態を上から見た平面図である。隣り合う土嚢袋２０の背面側シート３には、斜線で示した重なり部２１が生ずる。このような重なり部２１が生じ、また、上下の土に挟まれる背面側シート３の面積が増えることで、土嚢の引き抜きに対して一層強い抵抗力を発揮する利点がある。
【符号の説明】
【００３１】
図面中、１、２０は土嚢袋、２は袋状部、３は背面側シート、４は長方形シート、５は正面側、１０ａ、１０ｂは切込みを示す。
【図１】
2020076246.tif 000003
【図２】
2020076246.tif 000004
【図３】
2020076246.tif 000005
【図４】
2020076246.tif 000006
【図５】
2020076246.tif 000007
【図６】
2020076246.tif 000008
【図７】
2020076246.tif 000009
【図８】
2020076246.tif 000010
【図９】
2020076246.tif 000011
【図１０】
2020076246.tif 000012
【図１１】
2020076246.tif 000013